(57)【要約】【課題】簡単に設置することができ可変幅の止水装置を提供する。【解決手段】立設された二つの壁の間に設置されて前記壁の間への浸水を防止する止水装置であって、前記二つの壁の間の間隔に応じて、止水する幅が可変にされる。前記止水装置と前記二つの壁との対向部及び前記止水装置と前記止水装置が設置された床との対向部において、該対向部と前記二つの壁及び前記床との間に止水部材が充填されて止水する。前記止水部材は、前記止水部材を除く止水装置を構成する部品を組み立てた後に付着される別部品として構成される。【選択図】図１
2017190599.tif 000002
【特許請求の範囲】
【請求項１】
立設された二つの壁の間に設置されて前記壁の間で前面から背面への浸水を防止する止水装置であって、
前記二つの壁の間の間隔に応じて、前記止水装置の止水する幅が可変であることを特徴とする止水装置。
【請求項２】
前記止水装置と前記二つの壁との対向部及び前記止水装置と前記止水装置が設置された床との対向部において、該対向部と該対向部に向き合う前記壁及び前記床との間に止水部材が充填されて止水することを特徴とする請求項１に記載の止水装置。
【請求項３】
前記止水装置の前記壁に対向する面が背面の方向へ向かうに従って前記壁に接近するように形成されていることを特徴とする請求項２に記載の止水装置。
【請求項４】
前記止水部材は、前記止水装置が前記二つの壁と前記床との間に設置された後に付着される別部品として構成されることを特徴とする請求項２又は３に記載の止水装置。
【請求項５】
前記止水装置が、前面である一方側から背面である他方側へ向かう水を止水する止水シート又は止水板、及び、該止水シート又は該止水板を支えるフレーム部を備え、
前記フレーム部が、前記止水装置の左右に位置する略鉛直に立設された第一支持壁及び第二支持壁にそれぞれ支持される第一支持柱と第二支持柱とを備え、
前記第一支持柱及び前記第二支持柱が前記止水装置の幅方向へ可変長である横連結部材により接続され、
前記止水シートが、前記第一支持柱と前記第二支持柱及び前記横連結部材に囲まれた面を一方側から覆うとともに前記第一支持柱と前記第二支持柱の背面に回り込むことを特徴とする請求項４に記載の止水装置。
【請求項６】
止水装置の背面で前記止水シートの両端に張力が印加されることを特徴とする請求項５に記載の止水装置。
【請求項７】
前記横連結部材が少なくとも前記第一支持柱及び前記第二支持柱の上部及び下部をそれぞれ連結し、前記横連結部材が、横部材とこれに前記止水装置の幅方向で重なる少なくとも一つのスライド部材を有することを特徴とする請求項５又は６に記載の止水装置。
【請求項８】
前記第一支持柱及び／又は前記第二支持柱の前面の壁面の背後に配され前記止水シートを背面から支えるシート支え板を備えることを特徴とする請求項５乃至７の何れか１項に記載の止水装置。
【請求項９】
前記止水装置が、前面である一方側から背面である他方側へ向かう水を止水するシート及び該止水シートを支えるフレーム部を備え、
前記フレーム部が、前記止水装置の左右の両端に位置する鉛直に立設された第一支持壁及び第二支持壁にそれぞれ支持される第一支持柱と第二支持柱とを備え、
前記第一支持柱及び前記第二支持柱との間に突っ張り棒を配置し、該突っ張り棒の押圧で前記第一支持柱及び前記第二支持柱をそれぞれ第一支持壁及び第二支持壁に押し付けて固定することを特徴とする請求項５又は６に記載の止水装置。
【請求項１０】
前記第一支持柱が、複数のロープを収める同軸の回転軸に接続された複数のボビンを備え、前記第二支持柱が該ロープを係止するロープ係止部を備えることを特徴とする請求項９に記載の止水装置。
【請求項１１】
前記回転軸が前記ロープの繰り出しを元へ戻す弾性機構を備えるとともに前記第一支持柱が、前記回転軸の回転を止めるロック機構を備えることを特徴とする請求項１０に記載の止水装置。
【請求項１２】
２枚の立設される止水板及び該止水板の上部及び下部に可変長横部材を備える止水装置であって、
前記可変長横部材が前記止水装置の幅方向で二つに分かれ重なる形状を有し、所定の重なり長さで固定されることを特徴とする請求項３又は４に記載の止水装置。
【請求項１３】
前記２枚の止水板のなす角度が、設置時に前面側へ凸になるようにされ、前記２枚の止水板の接続部が止水機能を有することを特徴とする請求項１２に記載の止水装置。
【請求項１４】
複数の立設される止水板が前面と背面に位置して平行に重なり、前記止水装置の幅方向の前記止水板の重なる幅が可変になるように構成されることを特徴とする請求項３又は４に記載の止水装置。
【請求項１５】
互いに重なる２枚の前記止水板の一方の止水板の他方の止水板と重なる部分が前後二重に形成され、前記他方の止水板が一方の止水板の二重に形成された隙間へ挿入され、一方の止水板の前後二重に形成された部分と他方の止水板の間に止水機構が設けられることを特徴とする請求項１４に記載の止水装置。
【請求項１６】
互いに重なる２枚の前記止水板の少なくとも一方の止水板に幅方向の長孔が設けられ、係止部材により他方の止水板に固定されることを特徴とする請求項１４又は１５に記載の止水装置。
【請求項１７】
前記止水板の重なる部分で前面に位置する前記止水板の先端部分に止水機能が備えられることを特徴とする請求項１４乃至１６何れか1項に記載の止水装置。
【発明の詳細な説明】
【技術分野】
【０００１】
本発明は、建物の外から流れ込む水を止水する可変幅の止水装置に関する。
【背景技術】
【０００２】
従来、直立固定された止水枠板と、この止水枠板を被覆する防水布と、を備えた洪水防止用止水板が提案されている（例えば、特許文献１参照）。特許文献１に記載された従来の止水装置は、洪水時に土嚢の代わりに用いられ、土嚢よりも容易に設置される。このような止水装置では、防水布のうち床に沿った部分（底面止水部）の上側を水が流れ、直立した止水枠板に沿って設けられた部分（壁面止水部）によって止水される。即ち、止水板を挟んで一方側から他方側に向かう方向を流水方向とする水が止水される。
【先行技術文献】
【特許文献】
【０００３】
【特許文献１】特開２００４−２１８４１５号公報
【発明の概要】
【発明が解決しようとする課題】
【０００４】
しかしながら、特許文献１に記載された従来の洪水防止用止水板では、床に凹凸が形成されていたり砂等の異物が存在していたりすると、防水布が床に密着せずに隙間が形成され、水が浸入してしまうことがある。このような隙間に水が浸入すると、防水布に浮力が生じてさらに水が浸入しやすくなってしまうので隙間への水の侵入を防ぐことが課題となる。
【０００５】
ここで、止水を必要とする止水の幅は止水装置が設置される場所により千差万別である。需要が多いのは外界に直接又は間接に開放される場所のドアーに対する止水である。特に、エレベータは浸水すると内部の機械が壊れる惧れがあるので止水に対する要望が強い。しかしながら、エレベータを止水する場合の止水幅はエレベータの規格により変わるので、規格に応じて止水の幅を変えられる可変幅の止水装置が求められていた。したがって、本発明の目的は、簡単に設置することができる設置時の幅が可変な止水装置を提供することにある。
【課題を解決するための手段】
【０００６】
本発明の止水装置は、立設された二つの壁の間に設置されて前記壁の間で前面から背面への浸水を防止する止水装置であって、前記二つの壁の間の間隔に応じて、前記止水装置の止水する幅が可変であることを特徴とする。
【０００７】
止水装置の止水幅が可変なので、様々な幅の壁の間を止水することができる。
【０００８】
本発明の止水装置は、前記止水装置と前記二つの壁との対向部及び前記止水装置と前記止水装置が設置された床との対向部において、該対向部と該対向部に向き合う前記壁及び前記床との間に止水部材が充填されて止水することを特徴とする。
【０００９】
止水部材を充填することで水漏れが生じ難くなる。
【００１０】
本発明の止水装置は、前記止水装置の前記壁に対向する面が背面の方向へ向かうに従って前記壁に接近するように形成されていることを特徴とする。
【００１１】
前記止水装置の前記壁に対向する面が背面の方向へ向かうに従って前記壁に接近するように形成されているので、対向部と壁との間の隙間が略Ｖ字となり、その隙間へ防水部材を充填することで効果的に止水することができる。
【００１２】
本発明の止水装置は、前記止水部材が前記止水装置が前記二つの壁と前記床との間に設置された後に付着される別部品として構成されることを特徴とする。
【００１３】
止水装置を撤去後に再度止水装置を設置する場合に止水部材を含む止水手段が別部品なので特性の劣化していない新しいものを用いることが容易になる。
【００１４】
本発明の止水装置は、前記止水装置が、前面である一方側から背面である他方側へ向かう水を止水する止水シート又は止水板、及び、該止水シート又は該止水板を支えるフレーム部を備え、前記フレーム部が、前記止水装置の左右に位置する略鉛直に立設された第一支持壁及び第二支持壁にそれぞれ支持される第一支持柱と第二支持柱とを備え、前記第一支持柱及び前記第二支持柱が前記止水装置の幅方向へ可変長である横連結部材により接続され、前記止水シートが、前記第一支持柱と前記第二支持柱及び前記横連結部材に囲まれた面を一方側から覆うとともに前記第一支持柱と前記第二支持柱の背面に回り込むことを特徴とする。
【００１５】
止水装置の左右両端にある支持柱がそれぞれ建物を構成する壁（支持壁）に支持されて、左右の支持柱の間を横方向へ結ぶ可変長の横連結部材で接続して止水装置のフレーム部が形成される。このフレーム部の前と更に支持柱の横を通ってフレーム部の背後へ回る止水シートが掛けられる。フレーム部は左右の支持柱に直接又は間接に取り付けられる。止水装置と床及び壁との間にできる隙間の止水はL字型の枠に保持されるパテなどの止水部材を隙間へ押し込むことで行われる。横連結部材が可変長なので様々な幅を有する扉のエレベータなどの開閉部へ適用することができる。
【００１６】
本発明の止水装置は、止水装置の背面で前記止水シートの両端に張力が印加されることを特徴とする。
【００１７】
止水装置の背面に廻った止水シートの両端に張力を加えることで止水シートのたるみを無くすことができる。
【００１８】
本発明の止水装置は、前記横連結部材が前記第一支持柱及び前記第二支持柱の少なくとも上部及び下部をそれぞれ連結し、前記横連結部材が、横部材とこれに前記止水装置の幅方向で重なる少なくとも一つのスライド部材を有することを特徴とする。
【００１９】
横部材と重なるスライド部材を介して横部材が支持柱へ接続されるので、スライド部材と横部材との重なり長さを変えることで止水装置の幅を可変長にすることができる。
【００２０】
本発明の止水装置は、前記第一支持柱及び／又は前記第二支持柱の前面の壁面の背後に配され前記止水シートを背面から支えるシート支え板を備えることを特徴とする。
【００２１】
止水シートの背面に位置し支持柱の前面側の板の後ろからフレーム部材までを接続するシート支え板がシートを背面から支える。
【００２２】
本発明の止水装置は、前記止水装置が、前面である一方側から背面である他方側へ向かう水を止水するシート及び該止水シートを支えるフレーム部を備え、前記フレーム部が、前記止水装置の左右の両端に位置する鉛直に立設された第一支持壁及び第二支持壁にそれぞれ支持される第一支持柱と第二支持柱とを備え、前記第一支持柱及び前記第二支持柱との間に突っ張り棒を配置し、該突っ張り棒の押圧で前記第一支持柱及び前記第二支持柱をそれぞれ第一支持壁及び第二支持壁に押し付けて固定することを特徴とする。
【００２３】
突っ張り棒を止水装置のフレーム部の一部として使うので止水装置の組み立てが容易になる。
【００２４】
本発明の止水装置は、前記第一支持柱が、複数のロープを収める同軸の回転軸に接続された複数のボビンを備え、前記第二支持柱が該ロープを係止するロープ係止部を備えることを特徴とする。
【００２５】
設置前にロープは第一支持柱の中のボビンに巻かれて収容されている。設置時はロープをボビンから引き出して第二支持柱の係止部へ固定する。このロープ群と突っ張り棒でシートの背面構造が構成される。
【００２６】
本発明の止水装置は、前記回転軸が前記ロープの繰り出しを元へ戻す弾性機構を備えるとともに前記第一支持柱が、前記回転軸の回転を止めるロック機構を備えることを特徴とする。
【００２７】
引出し型のメジャーのように引き出されたロープを巻き戻す弾性機構を備えているので、収容時に容易にロープを巻き取ることができる。また回転軸が回転しないようにロック機構を備えるので、回転軸のロック後は、ロープの長さが第一支持柱と第二支持柱の間で固定される。従って、止水シートの受ける圧力をロープ群が支えることになる。
【００２８】
本発明の止水装置は、2枚の立設される止水板及び該止水板の上部及び下部に可変長横部材を備える止水装置であって、前記可変長横部材が二つに分かれ前記止水装置の幅方向で重なる形状を有し、所定の重なり長さで固定されることを特徴とする。
【００２９】
前記可変長横部材が二つに分かれ、一方が他方と幅方向で重なる形状を有するので止水幅に応じて前記可変長横部材の全体の長さを変えることで可変幅となる。
【００３０】
前記２枚の止水板のなす角度が、設置時に前面側へ凸になるようにされ、前記２枚の止水板の接続部が止水機能を有することを特徴とする。
【００３１】
止水板は中央で折り曲げられて2枚の止水板は蝶番などで接続される。前面部に防水シートを蝶番を被うように貼ることで、止水機能が実現される。また、円柱形状の止水棒を中にして2枚の止水板の端面を凹面に形成して止水棒を左右から挟むように構成することで防水機能を実現することができる。その場合、止水棒に凹面から圧力を掛けたり、止水棒と凹面との間へ防水用のグリースを充填することで止水性能が向上する。蝶番などで接続された2枚の止水板は前面側に凸な状態となり、止水幅に応じてその凸な角度が変化して止水幅を可変とすることができる。
【００３２】
本発明の止水装置は、複数の立設される止水板が前面と背面に位置して平行に重なり、前記止水装置の幅方向の前記止水板の重なる幅が可変になるように構成されることを特徴とする。
【００３３】
障子やふすまのように複数枚の止水板が前面と背面に位置して平行になって前後に重なる。重なる長さを変えることで、止水幅を調節することができる。
【００３４】
本発明の止水装置は、互いに重なる２枚の前記止水板の一方の止水板の他方の止水板と重なる部分が前後二重に形成され、前記他方の止水板が一方の止水板の二重に形成された隙間へ挿入され、一方の止水板の前後二重に形成された部分と他方の止水板の間に止水機構が設けられることを特徴とする。
【００３５】
一方の止水板の平面図において他方の止水板と重なる部分がＵ字又はコの字に形成されて、その隙間へ他方の止水板が挿入され、挿入深さを調節することで止水装置の止水幅を調整する。そして、一方の止水板の二重になった部分と他方の止水板との間に防水機構として例えばゴムシールなどを用いたり、止水部材を充填したりすることで止水機能の向上を図れる。
【００３６】
本発明の止水装置は、互いに重なる２枚の前記止水板の少なくとも一方の止水板に幅方向の長孔が設けられ、係止部材により他方の止水板に固定されることを特徴とする。
【００３７】
止水板の片方に幅方向の長孔が設けられているので、止水装置を設置して現地でその幅を決めて、螺子などで2枚の止水板を固定することで可変幅の止水装置を実現することができる。
【００３８】
本発明の止水装置は、前記止水板の重なる部分で前面に位置する前記止水板の先端部分に止水機能が備えられることを特徴とする。
【００３９】
前記止水板の重なる部分で前面に位置する前記止水板の先端部分に止水機能が備えられることで可変幅の止水装置の止水性能の向上が図れる。
【図面の簡単な説明】
【００４０】
【図１】（Ａ）本発明の実施形態１に係る止水装置の前面を示す斜視図である。（Ｂ）Ｂ断面での止水の様子の説明図である。（Ｃ）Ｃ断面での止水の様子の説明図である。（Ｄ）Ｄ断面での止水の様子の説明図である。
【図２】（Ａ）止水装置のシート部、（Ｂ）フレーム部の説明図である。
【図３】フレーム部の可変幅を実現する機構の説明図である。
【図４】（Ａ）背面から見たシート部に張力を加える説明図である。（Ｂ１）フレーム部の説明図である。（Ｂ２）フレーム部を用いて張力を加える説明図である。
【図５】可変長機構及びシート支え板の説明図である。
【図６】本発明の実施形態２に掛かるロープ型止水装置の正面図である。
【図７】シート下部抑え部材の説明図である。
【図８】実施形態３に掛かるロープ型止水装置の第一支持柱の内部構造の説明図である。
【図９】Ｌ字部材とそれに保持される止水部材の説明図である。
【図１０】本発明の実施形態３に掛かる（Ａ）折りたたみ型の止水装置の平面図、（Ｂ）斜視図である。
【図１１】本発明の実施形態４に掛かる（Ａ）スライド型の止水装置の平面図、（Ｂ）正面図である。
【図１２】本発明の実施形態５に掛かる（Ａ）スライド型の止水装置の平面図、（Ｂ）正面図である。
【発明を実施するための形態】
【００４１】
（実施例１）
以下、本発明の実施形態１を図面に基づいて説明する。本実施形態の止水装置１は、図１に示すように、建物へ向かう水を止水して建物内部の浸水を防止するように構成されている。止水装置１は、例えば定着物としての建物の略鉛直に立設された壁の間の開口部を保護するように設置される。
【００４２】
本実施形態において、止水装置１の左右方向を幅方向とし、鉛直方向を上下方向とし、幅方向及び上下方向に略直交する方向を奥行方向とする。また、止水装置１から見て水の浸入する側を奥行方向の一方側とし、建物側を奥行方向の他方側とする。また、図１の止水装置１の手前を前面、後ろを背面とする。
【００４３】
止水装置１は、止水するシート部とこれを力学的に支えるフレーム部とで構成される。フレーム部は建物の入り口のほぼ垂直に立つ壁を支持壁としてこの壁に支持支柱が支持されることで立設される。図の右側の第一支持壁となる壁３に第一上支持部材２０と第一下支持部材２１が接する。また、第二支持壁となる左側の壁３'に第二上支持部材１７と第二下支持部材１８が接する。上横部材１２と両脇の支持支柱１０，１１と下横部材１３とで構成される面を図1の斜線部分で示す止水シート２で覆う。ここで止水シート２は、例えばポリエチレン等の合成樹脂によって形成されたタープであり、略長方形に形成されるとともに、長手方向の両端辺で板状部材で終端される。止水シート２の下端は、止水シート下端抑え部材１４で下横部材１３へ固定する。シートの受ける水圧は支持柱１０，１１へ伝達され、支持柱１０，１１へ固定された支持部材２０，２１，１７，１８により建物へ伝達されて水圧を支える。支持柱１０，１１は、横方向を横部材とスライド部材からなる横連結部材により互いに接続される。支持柱の上端に接続される横連結部材の、上横部材１２及び支持柱の下端に接続される下横部材１３と、これに挿入されるスライド部材１６，１９との重なり長さは可変であるので、所定の幅へ連続的に調節することができる。また、止水装置は、都市部の洪水での水位に対応するとともに、人が跨ぐことができるような高さ（例えば３００〜６００ｍｍ）を有している。
【００４４】
止水装置の設置は、設置される場所の壁の間隔に応じて、支持柱へ横連結部材を構成するスライド部材と横部材を取り付けて連結し後述する方法で幅を調整してフレーム部を立設する。これに止水シートをフレーム部の前面を覆うように掛け、背面で張力を加える。止水シートの下部を押さえ板１４で抑えた後に、止水部材４０１を止水シートと床及び建物との間の隙間へ充填して止水を行う。止水部材４０１は止水手段４００の構成要素としてＬ字部材４１０で保持されているので扱いが容易である。止水部材４０１は止水装置の組み立て後に付着される別部品の止水手段４００に含まれる。
【００４５】
止水装置と両端の壁との間、及び止水装置と床との隙間を止水部材４０１であるパテなどで充填する。止水装置の全体の様子を示す図１（Ａ）の（Ｂ）,（Ｃ），（Ｄ）は止水する場所による止水の様子を示している。支持柱の壁に対向する対向部は、背面へ向かうに従って壁に接近するように形成されている。
【００４６】
図1のＢ断面の止水の様子を図１（Ｂ）に示す。第二支持柱１１の断面は壁３'へ近づくに従って厚みを減じその斜めになった部分へ止水部材を充填する。図１（Ｃ）は止水装置と床との間の止水の様子を示している。シート２の背面には第二支持柱１１の壁、シート支え板２２、下スライド部材１９が存在しているので、床４と止水シート２との間へ止水部材４０１を充填することで止水が行われる。また、図１（Ｄ）に断面（Ｄ）の様子を示す。この部分にはシートの前面に止水シート下部押さえ部材１４があるので、止水シート下部押さえ部材１４の立ち上がり部分へ止水部材を充填することで止水が行われる。なお、下支持部材１８，２１はそれぞれ、床４へ接着材で接着されるので、止水は、下支持部材１８，２１の表面と止水シート２の間で行う。止水部材の充填は止水部材を除く止水装置の部品を組み立て終わってから行う。
【００４７】
止水装置１の止水シート２とフレーム部の様子を図２、図３に示す。第一支持柱１０には第一上支持部材２０と第一下支持部材２１が固定されている。また上横部材１２と下横部材１３が第一支持柱へその距離を可変にしながら固定される。上横部材１２と下横部材１４との間には二つのＨ字部材２５が接続されている。止水シート下端抑え部材１４は止水シート２を下横部材１３との間に挟んで下横部材１３へ螺子止めされる。
【００４８】
止水シート下端抑え部材１４は断面がＶ字型になっておりＶ字の一辺が横部材へ固定されるともう一辺が床に対して３０度〜６０度の角度で立ち上がる。この立ち上がり部分と床との間へ後述する図９に示す止水手段４００を構成するＬ字部材４１０とこれに保持される止水部材４０１を押し付けることで止水が行われる。
【００４９】
図３に示すように第二支持柱１１の上部には、第二上支持部材１７と第二上スライド部材１６が共締めされて固定される。また、第二支持柱１１の下部には、第二下支持部材１８と第二下スライド部材１９が共締めされて第二支持柱１１へ固定される。
【００５０】
止水装置１を背面から見た様子を図４に示す。第二支持柱１０と上下の横部材１２，１３との結合は、横部材１２，１３と重なるスライド部材１６，１９が使われており所定の重なり長さで上横部材の長孔３０、下上横部材の長孔３１を使い螺子止めする。止水シートへの水圧を支えるフレーム部は、支持柱に固定された上横部材１２と下横部材１３及びこれらに接続される二つのＨ字枠部材２５で構成される。二つのＨ字枠部材２５は上横部材１２と下横部材１３の間に固定される。
【００５１】
また、止水シート２は二つの支持柱１０，１１の背面へ回されその端部に張力を加えられる。具体的には、例えば図４（Ａ）に示すように引っ張りばね２６を止水シートの両端へ接続する。また、図４（Ｂ２）に示すように、Ｈ字枠部材２５の溝３５へ入れたスライドナット３７と、これにシートの端部へ装着された部材をシート止めネジ３６で、シートにたるみが出ないように止めることで、シートを張ることができる。
【００５２】
次に止水装置の幅方向を可変長にする仕組みついて図４及び図５を用いて説明する。幅方向の可変長の実現は、支持柱１０，１１と上下の横部材１２、１３との間を結ぶスライド部材１６，１９などを用いて行われる。スライド部材１６，１９は支持部材１７，１８と共に支持柱１１へ共締めされて固定される。スライド部材１６，１９はそれぞれ上横部材１２及び下横部材１３の内部へ嵌る大きさに形成されている。
【００５３】
上横部材１２には長孔３２が設けられ、下横部材１３には長孔３３が設けられている。スライド部材１６，１９を止水装置の幅方向へ動かして所定の幅になったところで螺子で長孔３２，３３を介してスライド部材１６，１９をスライドナットで螺子止めする。支持柱１０と上横部材１２、下横部材１３との結合する間を結ぶときも同様である。
【００５４】
図５において、シート支え板２２はＨ字部材２５へ横方向からねじ止めされると共に支持柱１１の前側の壁面の背後へ入り込み止水シートへの水圧を支える。
【００５５】
ここで、フレーム部に支えられている止水シートと床及び建物との境界を止水する止水手段について説明する。図９に示すように、止水手段４００は止水装置の幅方向に沿って延びるＬ字部材４１０と、Ｌ字部材４１０の角に保持される止水部材４０１と、を有する。Ｌ字部材４１０は、幅方向及び奥行方向に略平行な水平板部４１１と、幅方向及び上下方向に略平行な鉛直板部４１２と、を有し、断面がＬ字状に形成されている。止水部材４０１は、フレームに支えられる止水シートと床及び建物の間の隙間を柔軟に変形することで埋めて止水する。
【００５６】
止水部材４０１は、例えばポリブテン樹脂及び合成樹脂接着剤を基材とした不乾性のパテであって、加圧されることで変形して対象物に密着するとともに、変形後の形状を維持するような性質を有している。止水部材４０１は、円柱状に形成されるとともに、Ｌ字部材４１０の水平板部４１１の下面及び鉛直板部４１２の他方側の面に当接するように設けられ、その直径は、水平板部４１１の奥行方向寸法及び鉛直板部４１２の上下方向寸法よりも大きい。
【００５７】
このような止水手段４００は、止水シート２と図１の床４、支持壁３、３'との間へ押しつけられ、止水部材４０１が埋め込まれ充填されて止水する。止水手段４００が用いられる場所は、止水装置と床及び壁との境界である。床との境界はシート下部抑え部材１４により床との間に角度が取られてＶ字型の溝が作られる。また、壁との間は図３の支持柱１１の形状に示されるように支持柱の奥行方向の寸法が壁に近づくに従って減じており、支持柱の壁に対向する面が背面の方向へ向かうに従って壁に近づくので、断面がＶ字型の溝を形成している。止水手段４００は、止水装置の設置後に設置者が手作業により端部Ｌ字部材をＶ字型の溝へ押圧することで、止水部材４０１が変形して隙間を埋めて止水するようになっている。
【００５８】
（実施例２）
次に、フレーム部を突っ張り棒とロープで構成した実施の形態２を説明する。図6に本発明に係るロープ型止水装置１００の正面図を示す。支持柱１５０，１５１は、上突っ張り棒１０２と下突っ張り棒１０３で建物の支持壁へ押し付けられる。水圧に耐えるために支持柱１５０には上部係止板２００と下部係止板２０１が固定され、支持柱１５１には上部係止板２０２と下部係止板２０３が固定される。支持柱１５０，１５１の間には複数のロープ１０８が張られる。ロープの太さは水圧が下へ行くほど高くなるので太さを下へ行くほど太くすることが好ましい。フレーム部の前面に止水シート２が張られ両支持柱の背面へ回る。止水シート２の下端は支持柱へ固定される抑えシート抑え部材１０４により支持柱との間へ挟まれる。止水手段４００により止水部材４０１が、フレームに支えられる止水シートと床及び建物の間に押し込まれ隙間を生めて止水する。
【００５９】
シート抑え部材１０４は図７に示すように断面がＶ字型になっており長さ方向へ長穴１０４３が形成されている。この長穴は支持柱１５０及び１５１へねじ止めする際に用いられる。断面がＶ字型になっているので、シート下端抑え部材１４と同様の効果を生じる。また、支持柱１５０，１５１は円形なので支持柱１５０，１５１と建物の壁との間には略Ｖ字型の溝が形成され効果的に止水部材４０１を充填することができる。
【００６０】
次に、ロープの繰り出しについて図８を用いて説明する。図８は支持柱１５０の内部構造の説明図である。ロープ１０８はそれぞれボビン１３０に巻き取られて内部が空洞になっている支持柱１５０の中に収められている。ボビンは同軸の回転可能な回転軸１３６に固定され回転軸１３６の回転に伴って回転する。回転軸１３６の下端には巻き戻し部１３２が附属しており、ロープの繰り出しに伴い弾性機構に弾性エネルギが蓄えられ、元へもどってロープを巻き戻す力を有する。繰り出されたロープは第二支持柱１５１に設けられるロープ係止部で係止される。なお、弾性エネルギの蓄積には渦巻きばねを用いることが好ましい。
【００６１】
また、回転軸１３６の上端には回転のロック機構が備えられておりロック制御ボタン１４０により回転を止めたり回転可能な状態にする。また、引出し途中では、巻き戻しが起こらないようにラチェット歯車などで制御する。
【００６２】
支柱１５０の上部には突っ張り棒を入れる孔１３３が、下部には孔１３４が設けられている。この孔へ入れられた突っ張り棒は孔に対向する支柱の壁を強く押して建物の壁に押し付ける。同様に支柱１５１にも同じような孔が設けられている。孔１３５はシート抑え板１０４をねじ止めするための孔である。
【００６３】
ロープは止水シート２を介して受ける水圧により背面側へ撓む。その撓みを抑えるために突っ張り棒の中央付近に、図６に示すように、鉛直に位置する第３の突っ張り棒１２０を設け、横に位置する突っ張り棒にはこの第３の突っ張り棒を支持する保持部を有する。なお、この構成において、ロープを使わずに、突っ張り棒のみでフレーム部を構成することもコスト削減の観点から好ましい。
【００６４】
（実施例３）
図１０に本発明の実施の形態3に係る折りたたみ型の止水装置の様子を示す。図１０（Ａ）は平面図で止水装置を上から見た図である。止水板４０，４１に接続される可変長横部材は２つに分割され一方が他方の中へ挿入可能に形成されている。止水装置の両端がそれぞれ壁に接触するまで２枚の止水板４０，４１を広げて２つに分割された第一上部横部材４２，第二上部横部材４３をネジなどで互いに固定して全体の長さを決める。第一上部横部材４２と第二上部横部材４３とが互いに固定されて、その両端部が壁に当たり水圧に抗して壁によって止水装置の後方への移動を防止する。第一下部横部材４７、第二下部横部材４８は止水板の下部に設けられており、上部の横部材と同様にその長さを決める。
【００６５】
図１０（Ｂ）に示すように止水装置と壁及び止水装置と床との隙間は止水手段４００により止水部材４０１を充填して、止水性の向上を図る。ここで、止水幅に応じた止水板の折り曲げは前面側に凸に尖るように設置する。水圧が加わるとその力は止水板によって壁を押す方向の力へ変換され、止水装置の固定に役立つ。
【００６６】
２枚の止水板４０，４１の接続部は蝶番になっており、蝶番の前面に防水シートを貼って防水する。また、蝶番を円柱と端面に前記蝶番に嵌る凹面を有する止水板を用いて防水機構を形成することもできる。円柱と凹面の間へグリースを塗ることで防水性能を高めることができる。
【００６７】
（実施例４）
図１１を用いて本発明の実施の形態４に係るスライド型の止水装置の説明をする。図１１（Ａ）は２枚の止水板を前後に重ねた止水装置である。手前の第一スライド止水板６０に重なるように第二スライド止水板６１が置かれ、所要の止水幅に応じて重なり部分の大きさが決められる。２枚のスライド止水板の少なくとも１枚に幅方向に延びる長孔６６，６７が設けられ、止水幅が決められた段階で２枚のスライド止水板を互いに螺子６５などで固定する。長孔は上部長穴６６と下部長孔６７が設けられている。スライド止水板の壁に近い部分に壁への係止部材６２，６３，６８，６９が固定される。第一止水板６０には、第一上部係止部材６２と第一下部係止部材６８が取り付けられる。また、第二止水板６１には、第二上部係止部材６３と第二下部係止部材６９が取り付けられる。各係止部材はそれぞれ壁に接触して、止水装置へ印加される水圧を支える。
【００６８】
図１１（Ｂ）は、止水装置の正面図である。２枚のスライド型止水板を重ねた状態で固定するために、長孔６６，６７が設けられている。それぞれのスライド止水板の壁側の端部は背面の方向へ曲げられ所定の角度で壁と対向する。止水装置と壁３，３'、止水装置と床４との間は止水手段４００を用いて止水部材４０１が充填される。さらに２枚の止水板の重なり部分の先端部分にも止水部材４０１が充填され止水機能が担保される。
【００６９】
（実施例５）
本発明の実施の形態５に係るスライド型止水装置の別の形を図１２に示す。図１１に示すスライド型止水装置とは止水板の重なる部分の構成が異なる。２枚の止水板の重なる部分について、前後二重に形成された一方の止水板が平面視でＵ字、又はコの字になっていてその隙間へ他方の止水板が挿入される。
【００７０】
図１２において、一方の止水板８１の他方の止水板８０と重なる部分が前後に二重になっていてその隙間へ他方の止水板８１が挿入される。それぞれの止水板は壁に当たる係止部材８２，８３，８８，８９で水の圧力に対抗する。他方の止水板８０は、ネジ８５により一方の止水板８１に固定される。ネジ８５で２重になった背面の壁に押し付けられるので他方の止水板８０に図１１の止水装置のように長孔を設けなくても良い。また、重なり部分の止水はゴムなどのような弾性材を止水シール材９０として縦方向に取り付けることで止水機構が実現される。
【００７１】
止水装置の撤去は、設置と逆の手順で撤去されればよい。止水部材４０１を床から剥離する際には、止水部材の材質に応じた方法を採用すればよい。例えば、止水部材がパテである場合には、霧吹き等を用いて少量の水を撒くことにより、床からの剥離が容易となる。また、Ｌ字部材４１０と止水部材４０１との間に剥離用テープ等を設けてもよく、止水部材と密着した剥離用テープを引っ張ることにより、床から止水部材を剥離してもよい。このように止水装置を撤去した後に再設置する場合には、止水手段４００を新たなものに交換し、上記と逆の手順で設置する。これにより、新たな止水手段４００により新たな止水部材４０１を充填して再設置時にも同様の止水性能を得ることができる。
【００７２】
なお、本発明は、前記実施形態に限定されるものではなく、本発明の目的が達成できる他の構成等を含み、以下に示すような変形等も本発明に含まれる。
【００７３】
また、前記実施形態では、止水部材４０１としてポリブテン樹脂及び合成樹脂接着剤を基材とするパテを例示したが、止水部材は、加圧されることで変形して対象物に密着するとともに、変形後の形状を維持するような性質を有していればよく、例えば、軟性を有する（硬化剤を含まない）その他のパテや樹脂粘土等であってもよいし、発泡ウレタン等の発泡性の部材であってもよい。即ち、止水シート２の床に接する面に沿うようにスプレーによって発泡ウレタンを設け、さらにＬ字部材を配置することで止水手段としてもよい。
【００７４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００７５】
１  止水装置
２  止水シート
３  第一支持壁
３' 第二支持壁
４  床
５  エレベータドア
１０  第一支持柱
１１  第二支持柱
１２  上横部材
１３  下横部材
１４  止水シート下端抑え部材
１６  上スライド部材
１７  第二上支持部材
１８  第二下支持部材
１９  下スライド部材
２０  第一上支持部材
２１  第一下支持部材
２２  シート支え板
２５  Ｈ字部材
２６  引っ張りばね
３０  上第一長孔
３１  下第一長孔
３２  上第二長孔
３３  下第二長孔
３５  Ｈ字枠の溝
３６  シート止めネジ
３７  シート止めスライドナット
４０  第一止水板
４１  第二止水板
４２  第一上部横部材
４３  第二上部横部材
４４  接続部材
４５  係止螺子
４６  長孔
４７  第一下部横部材
４８  第二下部横部材
５０  止水シール
６０  第一スライド止水板
６１  第二スライド止水板
６２  第一上部係止部材
６３  第二上部係止部材
６５  係止螺子
６６  上部長孔
６７  下部長孔
６８  第一下部係止部材
６９  第二下部係止部材
８０  他方の止水板
８１  一方の止水板
８２，８３，８８，８９  壁係止板
８５  係止ネジ
９０  止水シール材
１００  ロープ型止水装置
１０２  上突っ張り棒
１０３  下突っ張り棒
１０４  シート抑え部材
１０８  ロープ
１１０  ロープ繰り出し孔
１１１  ロープ係止部
１３１  回転制御部
１３２  巻き戻し部
１３３，１３４  突っ張り棒
１５０  第一支柱
１５１  第二支柱
２００，２０１，２０１，２０３  係支板
４００  止水手段
４０１  止水部材
４１０  Ｌ字部材
４１１  Ｌ字部材上面
４１２  Ｌ字部材側面
【図１】
2017190599.tif 000003
【図２】
2017190599.tif 000004
【図３】
2017190599.tif 000005
【図４】
2017190599.tif 000006
【図５】
2017190599.tif 000007
【図６】
2017190599.tif 000008
【図７】
2017190599.tif 000009
【図８】
2017190599.tif 000010
【図９】
2017190599.tif 000011
【図１０】
2017190599.tif 000012
【図１１】
2017190599.tif 000013
【図１２】
2017190599.tif 000014